(57)【要約】【課題】投射型映像表示装置の支持装置において、投射型映像表示装置側及び照明器具側への電力供給を互いに独立して行え、かつ投射型映像表示装置を、照明器具に独立して着脱可能にする。【解決手段】投射型映像表示装置を保持す構成を有し天井側に結合される保持部と、天井側の１つの電力取り出し部から電力が第１の経路を介して供給され上記投射型映像表示装置を接続可能な第１の接続部と、該電力取り出し部から電力が、上記第１の経路と並行する第２の経路を介して供給され照明器具を接続可能な第２の接続部とを備えた構成とする。【選択図】　図１
2004037918.tif 000002
【特許請求の範囲】
【請求項１】
投射型映像表示装置を支持する投射型映像表示装置用支持装置であって、
自身を天井側に結合する構成を有し上記投射型映像表示装置を保持する保持部と、天井側の１つの電力取り出し部から電力が第１の経路を介して供給され上記投射型映像表示装置を接続可能な第１の接続部と、上記電力取り出し部から電力が、上記第１の経路と並行する第２の経路を介して供給され照明器具を接続可能な第２の接続部とを備え、上記投射型映像表示装置を天井から吊り下げた状態で支持するとともに、該投射型映像表示装置及び上記照明器具に対し電力を、互いに別の経路で供給可能にした構成を特徴とする投射型映像表示装置用支持装置。
【請求項２】
上記第１の接続部は、上記保持部上に設けられる請求項１に記載の投射型映像表示装置用支持装置。
【請求項３】
上記保持部は、上記投射型映像表示装置の保持姿勢を、上記照明器具の接続位置または姿勢を変えることなく調整可能な構成を備える請求項１または請求項２に記載の投射型映像表示装置用支持装置。
【請求項４】
投射型映像表示装置を天井側に支持する投射型映像表示装置用支持装置であって、
自身を天井側に結合する第１の部分と該第１の部分に結合され上記投射型映像表示装置を保持する第２の部分とを有する保持部と、該保持部上に設けられ天井側の１つの電力取り出し部から電力が第１の経路を介して供給され上記投射型映像表示装置を接続可能な第１の接続部と、上記保持部に結合され上記第２の部分よりも下方に、上記第１の経路に対し並列的に配線を案内する配線案内部と、該第１の接続部よりも下方位置にあって上記配線案内部上に設けられ上記電力取り出し部から電力が上記配線案内部で案内された第２の経路を介して供給され照明器具を接続可能な第２の接続部とを備え、上記投射型映像表示装置及び上記照明器具を支持するとともに、該投射型映像表示装置及び該照明器具に天井側からの電力を、互いに別の経路で供給可能にした構成を特徴とする投射型映像表示装置用支持装置。
【請求項５】
投射型映像表示装置を天井側に支持する投射型映像表示装置用支持装置であって、
自身を天井側に結合する第１の部分と、該第１の部分に結合され上記投射型映像表示装置を保持するとともに該投射型映像表示装置の保持姿勢を調整可能な第２の部分と、上記第１の部分に結合され略天井面に沿う方向に延びたアーム状の第３の部分と、上記第１の部分上に設けられ天井側の１つの電力取り出し部から電力が第１の経路を介して供給され上記投射型映像表示装置を接続可能な第１の接続部と、上記第３の部分上に設けられ上記電力取り出し部から電力が、上記第１の経路と並行する第２の経路を介して供給され照明器具を接続可能な第２の接続部とを備え、上記投射型映像表示装置を支持するとともに、該投射型映像表示装置及び該照明器具に電力を、互いに別の経路で供給可能にした構成を特徴とする投射型映像表示装置用支持装置。
【請求項６】
上記第２の接続部は、引掛けシーリングコネクタで構成される請求項１、４または５に記載の投射型映像表示装置用支持装置。
【請求項７】
投射型映像表示装置を天井側に支持する投射型映像表示装置用支持装置であって、
天井側に結合される構成を有し、上記投射型映像表示装置を保持する第１の保持部と、天井側に対し照明器具を上記投射型映像表示装置と並列的に保持する第２の保持部とを備え、上記投射型映像表示装置を、該照明器具に独立して着脱可能にした構成を特徴とする投射型映像表示装置用支持装置。
【請求項８】
投射型映像表示装置を天井側に支持する投射型映像表示装置用支持装置であって、
天井側に結合される構成を有し上記投射型映像表示装置を保持する保持部と、照明器具を接続する接続部とを備え、上記投射型映像表示装置を、該照明器具に独立して着脱可能にした構成を特徴とする投射型映像表示装置用支持装置。
【発明の詳細な説明】
【０００１】
【発明の属する技術分野】
本発明は、液晶プロジェクタなどの投射型映像表示装置を天井側に支持する投射型映像表示装置用支持装置に関する。
【０００２】
【従来の技術】
液晶プロジェクタなどの投射型映像表示装置は、従来は事務所などにおいて業務用として使われるのが主体であったが、最近は家庭用としても使われるようになってきた。家庭で使用する場合は、投射型映像表示装置を天井から吊り下げ状態で設置する構成が有効である。該構成例としては、例えば、特開２０００−１２２１８０号公報、特開平７−２６４５２７号公報、及び、特開平９−１３９９０５号に記載されたものがある。特開２０００−１２２１８０号公報には、簡単かつ安全にプロジェクターを天吊りできるプロジェクター天吊り装置の提供を目的に、天井側に固定する天井側ブラケットに対し、プロジェクターに固定するプロジェクター側ブラケットを固定し、プロジェクターを天吊り状態に支持する構成であって、プロジェクター側ブラケットにフックを、また、天井側ブラケットにフック掛止機構を設け、プロジェクター側ブラケットを固定したプロジェクターを下方から持ち上げてフックとねじとを係合させ、上記両ブラケットを仮固定するようにした構成が記載されている。プロジェクターを照明器具と共存させる構成の記載はない。特開平７−２６４５２７号公報には、天井吊り型液晶プロジェクタの設置性向上と投射準備の簡略化とを目的に、一般住宅における照明器具取付け用の引掛埋め込みローゼット及び引掛シーリング対応の取付けコネクタを利用して、液晶プロジェクタの設置と電源供給とを同時に行うようにした構成が記載されている。液晶プロジェクタを設置するときは、照明器具が上記取付けコネクタから取外される。また、特開平９−１３９９０５号には、特別な工事を必要とせず、照明器具が障害ともならず、投影方向を容易に変えられる吊り下げ型投写表示装置の提供を目的に、照明器具用コンセントを利用して投写表示装置を吊り下げ状に支持する構成が記載されている。支持された投写表示装置は、照明器具引掛差込コンセントと照明器具用差込プラグとの結合状態を変えることで水平方向に姿勢を変え、光学系は装置本体側に対し垂直平面内で回転して姿勢を変える構成とされている。照明器具は、投写表示装置の下部側に設けた照明器具用プラグ受けに差込プラグで接続されることによって該投写表示装置の下方に吊り下げられる。照明器具用プラグ受けには、天井側から投写表示装置に取込まれた電力が供給される。
【０００３】
【発明が解決しようとする課題】
上記従来技術のうち、特開２０００−１２２１８０号公報記載の技術は、プロジェクター天吊り装置の構成が複雑な上、大掛かりな設置工事を伴うことが予想される。また、照明器具が共存できる構成にもなっていない。特開平７−２６４５２７号公報記載の技術は、液晶プロジェクタを設置するときには、照明器具を取付けコネクタから取外す必要があり、やはり、照明器具を共存させることができない。特開平９−１３９９０５号公報記載の技術は、投写表示装置の姿勢は、水平方向のみに変化可能であってしかも固定用ねじを通す穴の位置によって限定される特定方向のみに変化する構成に過ぎないし、また、光学系は垂直方向のみに変化可能な構成である。このため、画像の投影方向の調整動作が制限され、調整作業が複雑化し易く、調整にも時間がかかるおそれがある。特に、頻繁に投影方向を変える使い方をする場合には、頻繁にその都度、固定用ねじを穴からはずす必要がある。さらには、投写表示装置は、その設置される場所により、取付け姿勢を傾けて調整し固定する必要があるが、該特開平９−１３９９０５号公報には回転以外の姿勢を変える手段についての記載がない。仮に天井側の引掛けシーリングコネクタを傾けた場合には、下側に取付ける照明器具も傾いた状態で設置することになり、実用上問題となる。また、投写表示装置を経由して照明器具に電力を供給する構成のため、照明器具への電力供給は投写表示装置の状態によって制限されてしまい、照明器具に対し独立して並行的に電力を供給することができない。照明器具への電力供給のとき、電力をむだに消費するおそれもある。また、投写表示装置を天井側から取外すと、付随的に照明器具も取外された状態となってしまい、照明器具だけを天井側に吊り下げ状態で残して照明動作を行わせることが困難となる。つまり、照明器具だけを残して、投写表示装置を、移動やチェック等のために天井側から取外すことができない。さらに、投写表示装置自体に照明器具用差込プラグや照明器具用プラグ受けを設けているため、投写表示装置が大型化され、該投写表示装置を単独で持ち運んで使用する場合などにおいて不都合である。
【０００４】
本発明の課題点は、上記従来技術の状況に鑑み、投射型映像表示装置用支持装置において、（１）設置が容易であること、（２）投射型映像表示装置が、照明器具と干渉しない状態で共存可能なこと、（３）投射型映像表示装置側への電力供給と、照明器具側への電力供給とを互いに独立して並行的に行えること、（４）設置状態で投射型映像表示装置の姿勢調整が、水平方向、垂直方向以外の方向にも容易に可能なこと、（５）投射型映像表示装置を、照明器具とは独立的に着脱できるようにすること、等である。
本発明の目的は、かかる課題点を解決できる技術の提供にある。
【０００５】
【課題を解決するための手段】
上記課題点を解決するために、本発明では、基本的に、投射型映像表示装置用支持装置において、投射型映像表示装置を所定の姿勢に保持するとともに、天井側の配線部から電力を、該投射型映像表示装置と照明器具とに対し別個の経路で供給できる構成とする。また、天井側に対し、投射型映像表示装置と照明器具とを並列的に支持し、投射型映像表示装置を、照明器具には独立して着脱可能な支持構成とする。具体的には、投射型映像表示装置を天井側に支持する投射型映像表示装置用支持装置として、（１）自身を天井側に結合する構成を有し、投射型映像表示装置（該当実施例：符号３００）を保持する保持部（該当実施例：符号５０、５１、５２、１５５）と、天井側の１つの電力取り出し部から電力が第１の経路（該当実施例：符号１１２）を介して供給され上記投射型映像表示装置を接続可能な第１の接続部（該当実施例：符号１１５）と、上記電力取り出し部から電力が、上記第１の経路と並行する第２の経路（該当実施例：符号１１１）を介して供給され照明器具（該当実施例：符号２００）を接続可能な第２の接続部（該当実施例：符号１２０）とを備え、上記投射型映像表示装置を天井から吊り下げた状態で支持するとともに、該投射型映像表示装置及び上記照明器具に対し電力を、互いに別の経路で供給可能にした構成とする。（２）上記（１）において、上記第１の接続部は、上記保持部上に設けられる構成とする。（３）上記（１）において、上記保持部は、上記投射型映像表示装置の保持姿勢を、照明器具の接続位置または姿勢を変えることなく調整可能な構成（該当実施例：符号１３０）を備えたものとする。（４）自身を天井側に結合する第１の部分（該当実施例：符号５０）と該第１の部分に結合され上記投射型映像表示装置（該当実施例：符号３００）を保持する第２の部分（該当実施例：符号１５５）とを有する保持部（該当実施例：符号５０、１５５）と、該保持部上に設けられ天井側の１つの電力取り出し部から電力が第１の経路（該当実施例：符号１１２）を介して供給され上記投射型映像表示装置を接続可能な第１の接続部（該当実施例：符号１１５）と、上記保持部に結合され上記第２の部分よりも下方に、上記第１の経路に対し並列的に配線を案内する配線案内部（該当実施例：符号１７０）と、該第１の接続部よりも下方位置にあって上記配線案内部上に設けられ上記電力取り出し部から電力が上記配線案内部（該当実施例：符号１７０）で案内された第２の経路（該当実施例：符号１１１）を介して供給され照明器具（該当実施例：符号２００）を接続可能な第２の接続部（該当実施例：符号１２０）とを備え、上記投射型映像表示装置及び上記照明器具を支持するとともに該投射型映像表示装置及び該照明器具に電力を供給可能にした構成とする。（５）自身を天井側に結合する第１の部分（該当実施例：符号５２）と、該第１の部分に結合され上記投射型映像表示装置（該当実施例：符号３００）を保持するとともに該投射型映像表示装置の保持姿勢を調整可能な第２の部分（該当実施例：符号１５５）と、上記第１の部分に結合され略天井面に沿う方向に延びたアーム状の第３の部分（該当実施例：符号１８０）と、上記第１の部分（該当実施例：符号５２）上に設けられ天井側の１つの電力取り出し部から電力が第１の経路を介して供給され上記投射型映像表示装置を接続可能な第１の接続部（該当実施例：符号１１５）と、上記第３の部分（該当実施例：符号１８０）上に設けられ上記電力取り出し部から電力が、上記第１の経路と並行する第２の経路を介して供給され照明器具（該当実施例：符号２００）を接続可能な第２の接続部（該当実施例：符号１２０）とを備え、上記投射型映像表示装置を支持するとともに、該投射型映像表示装置及び該照明器具に電力を、互いに別の経路で供給可能にした構成とする。（６）上記（１）、（４）または（５）において、上記第２の接続部を、引掛けシーリングコネクタで構成する。（７）天井側に結合される構成を有し、投射型映像表示装置（該当実施例：符号３００）を保持する第１の保持部（該当実施例：符号５０、５２）と、天井側に対し照明器具（該当実施例：符号２００）を上記投射型映像表示装置と並列的に保持する第２の保持部（該当実施例：符号１７０、１８０、１２０）とを備え、上記投射型映像表示装置を、該照明器具に独立して着脱可能にした構成とする。（８）天井側に結合される構成を有し投射型映像表示装置（該当実施例：符号３００）を保持する保持部（該当実施例：符号５１）と、照明器具を接続する接続部（該当実施例：符号１２０）とを備え、上記投射型映像表示装置を、該照明器具に独立して着脱可能にした構成とする。
【０００６】
【発明の実施の形態】
以下、本発明の実施例につき、図面を用いて説明する。
図１〜図６は、本発明の第１の実施例の説明図である。図１は、投射型映像表示装置用支持装置の構成例図、図２は図１の投射型映像表示装置用支持装置の使用時の状態説明図、図３は、図１の構成の拡大図、図４は、図３の構成の一部の拡大図、図５は、図１の構成の電気系における接続部の説明図、図６は、図１の投射型映像表示装置用支持装置の単体状態における説明図である。
本実施例は、投射型映像表示装置用の保持部に、略環状の部材で形成した配線案内部を結合させて設け、該部材上に照明器具接続用のコネクタを設けて照明器具の支持と電力供給とを行えるようにした場合の構成例である。
図１〜図６において、１００は本発明の投射型映像表示装置用支持装置、１０は、天井側に固定され、天井側の電力取り出し部として配線端末が接続される埋め込みローゼット、３００は投射型映像表示装置、３２０は投射型映像表示装置３００の投射レンズ、２００は照明器具、５０は、投射型映像表示装置３００を保持する保持部のうち投射型映像表示装置用支持装置１００自身を天井側に結合する構成を備えた第１の部分、１５５は、保持部のうち上記第１の部分５０に結合され投射型映像表示装置３００を保持する第２の部分としての雲台である。投射型映像表示装置３００は該雲台１５５を介して上記第１の部分５０に結合される。該雲台１５５は、固定部材１５０と、可動部材１４０と、該可動部材１４０、該固定部材１５０に対する固定位置を調整する調整レバー１３０とを備えて構成される。１１０は、天井側の電力取り出し部としての埋め込みローゼット１０に接続され、天上側から商用電力を取り出す入力プラグ、１１２は、該入力プラグ１１０に接続され商用電力の第１の供給経路を構成するための導線、１１１は、該入力プラグ１１０に接続され、上記第１の供給経路に並列的に商用電力の第２の供給経路を構成するための導線、１１５は、保持部の第１の部分５０上に固定され上記第１の供給経路の導線１１２の端末が接続された第１の接続部としてのコンセント、３１０は、投射型映像表示装置３００の電源コード用プラグ、１７０は、保持部の第１の部分５０に結合され、パイプ状の構成を有し、内部に導線１１１が通され、該保持部の第２の部分の雲台１５５（調整レバー１３０、可動部材１４０、固定部材１５０）の下方に環状に延びて該導線１１１を該下方側に案内する配線案内部としての配線案内用パイプ部材、１２０は、配線案内用パイプ部材１７０上に設けられ、導線１１１の端末が接続された第２の接続部としての角型引掛けシーリングコネクタ、２１０は、照明器具２００側に設けられた引掛けプラグ、１１、１２は、天井側に設けた埋め込みローゼット１０に対し保持部の第２の部分５０を取付ける取付け用ねじ、１６０は、保持部の第２の部分５０に設けた穴、４００は天井面、４１０は壁面、５００は投射画面である。かかる構成の投射型映像表示装置用支持装置１００において、保持部の第１の部分５０により該支持装置１００自身が天井側に取付けられ、該第１の部分５０に結合された保持部の第２の部分の雲台１５５により、投射型映像表示装置３００が所定の位置に所定の姿勢で吊り下げられた状態で保持される。投射型映像表示装置３００は、該保持部の第２の部分の雲台１５５の可動部材１４０の平面部に、ねじにより取付けられる。また、該保持部の第１の部分に結合された環状の配線案内用パイプ部材１７０の下部には、角型引掛けシーリングコネクタ１２０により照明器具２００が吊り下げ状態で支持される。また、天井側の埋め込みローゼット１０に接続された入力プラグ１１０からは、天井側からの商用電力が取り出され、導線１１２による第１の供給経路を経てコンセント１１５に供給されるとともに、導線１１１による第２の供給経路を経て配線案内用パイプ部材１７０上の角型引掛けシーリングコネクタ１２０に供給される。コンセント１１５には、投射型映像表示装置３００の電源コード用プラグ３１０が接続され、商用電力が投射型映像表示装置３００に供給され、該投射型映像表示装置３００が動作可能状態とされる。一方、角型引掛けシーリングコネクタ１２０には引掛けプラグ２１０が接続され、照明器具２００が、上記投射型映像表示装置３００の下方位置において配線案内用パイプ部材１７０側に吊り下げ状態で支持されるようにするとともに、該照明器具２００側に商用電力を取込んで供給する。
【０００７】
図１に示すように、投射型映像表示装置用支持装置１００の配線案内用パイプ部材１７０は、環状の内部にあって投射型映像表示装置３００が、少なくとも姿勢調整のための回転変位や傾斜変位等を行える寸法を有している。
【０００８】
図２に示すように、本発明の投射型映像表示装置用支持装置１００で保持された投射型映像表示装置３００では、投射レンズ３２０からの投射光は、照明器具２００の上方から壁面４１０等の所定位置に投射されて投射画面５００を形成する。投射時は適宜、照明器具２００を消灯状態にするなどする。逆に、照明器具２００による照明のみを行う場合は、投射型映像表示装置３００をオフ状態にする。投射画面５００における画像の歪みは上記保持部の第２の部分による投射型映像表示装置３００の姿勢の調整によって軽減することができる。
【０００９】
図３に示すように、天井側の埋め込みローゼット１０に接続された入力プラグ１１０からは、分岐状に、商用電力の第１の供給経路を形成する導線１１２と、第２の供給経路を形成する導線１１１が引き出され、導線１１２はコンセント１１５に接続され、導線１１１は配線案内用パイプ部材１７０に案内され角型引掛けシーリングコネクタ１２０に接続される。
【００１０】
図４、図５に示すように、入力プラグ１１０は引掛け式の構成を有し、埋め込みローゼット１０に挿入後回転変位されることで該埋め込みローゼット１０に接続される。保持部の第１の部分を構成する部材５０は、その上部に設けた穴１６０の中に、上記埋め込みローゼット１０と、取付け用ねじ１１、１２を設けた部分とをはめ込んだ状態で、該取付け用ねじ１１、１２により、上方部の板状部が天井面側に押し付けられ固定される。このため、穴１６０は、上記埋め込みローゼット１０と、取付け用ねじ１１、１２を設けた部分とを挿入可能な寸法とされている。
【００１１】
図６に示すように、投射型映像表示装置用支持装置１００の保持部の第２の部分としての雲台１５５の可動部材１４０は、その平面部に、投射型映像表示装置３００を固定するためのねじを通す穴１４１〜１４３が設けられている。
【００１２】
上記第１の実施例構成によれば、投射型映像表示装置３００を、簡単な構成かつ照明器具２００とぶつかり合う等の干渉がない状態で、天井側に吊り下げ状態で支持することが可能となる。投射型映像表示装置３００に対して専用の支持装置を必要とせず、照明器具２００の支持用としても共用することができる。投射型映像表示装置３００を支持装置から取外して別な場所に移動するような場合にも、余分な機構を付帯させて持ち運ぶ必要がない。また、投射型映像表示装置３００は、支持状態において、水平方向、垂直方向の他、斜め方向にも姿勢の調整が容易に可能である。該投射型映像表示装置３００の該姿勢は、照明器具２００の接続位置または姿勢を変えることなく、照明器具２００には独立して調整可能である。また、天井側から供給される電力を、電力取り出し部から分岐し互いに並列的に構成された第１、第２の供給経路により、投射型映像表示装置３００側と照明器具２００側とに並列的に分配する構成のため、投射型映像表示装置３００と照明器具２００とに対して、互いに独立的にかつ並行して電力を供給することができる。このため、投射型映像表示装置３００と照明器具２００とを互いに選択的に使用可能となり、使い勝手も良い。また、天井側に対し、投射型映像表示装置３００と照明器具２００とが互いに並列的に支持されるため、投射型映像表示装置３００を、照明器具２００には独立して着脱することができる。例えば、照明器具２００を支持装置の下方に吊り下げ状態で残したまま、投射型映像表示装置３００を、移動やチェック等のために支持装置から取外すことができる。
【００１３】
なお、上記実施例では、投射型映像表示装置３００を上方に、照明器具２００を下方に配する構成としたが、本発明はこれに限定されず、逆に、投射型映像表示装置３００を下方に、照明器具２００を上方に配する構成としてもよい。
【００１４】
図７、図８は、本発明の第２の実施例の説明図である。図７は、投射型映像表示装置用支持装置の使用時の状態説明図で、投射型映像表示装置の後部側からの斜視図、図８は、図７の構成の拡大図であって、投射型映像表示装置の前面側からの斜視図である。
本実施例は、投射型映像表示装置用支持装置内で、投射型映像表示装置の保持と電力供給、及び、照明器具への電力供給とを行い、照明器具の支持は該支持装置外の天井面側で行うようにした場合の構成例である。
図７、図８において、５１は、投射型映像表示装置３００を保持する保持部のうち投射型映像表示装置用支持装置１００自身を天井側に結合する第１の部分、２２０は照明器具のコードを天井面４００に固定する固定具である。その他、上記第１の実施例構成と同様の部分には、第１の実施例の場合と同じ符号を付す。上記保持部の第１の部分５１には側面部に、入力プラグ１１０からの導線１１１が接続された角型引掛けシーリングコネクタ１２０が取付けられている。入力プラグ１１０は天井側の電力取り出し部としての埋め込みローゼット１０に接続される。導線１１１は商用電力の第２の供給経路を構成し、角型引掛けシーリングコネクタ１２０は第２の接続部を構成する。該角型引掛けシーリングコネクタ１２０には、照明器具２００側に設けられた引掛けプラグ２１０が接続される。該引掛けプラグ２１０からのコードは、長さ方向の中間部が固定具２２０によって天井面に固定され、コード先端部に接続された照明器具２００を天井面からの吊り下げ状態で支持する。上記保持部の第１の部分５１の下部には第１の接続部としてのコンセント１１５が設けられている。該コンセント１１５には、商用電力の第１の供給経路を構成する入力プラグ１１０からの導線１１２が接続されている。上記保持部の第１の部分５１における他部の構成及び第２の部分としての雲台１５５（調整レバー１３０、可動部材１４０、固定部材１５０）の構成も、上記第１の実施例の場合と同様である。かかる構成の投射型映像表示装置用支持装置１００’において、保持部の第１の部分５１により該支持装置１００’自身が天井側に取付けられ、該第１の部分５１に結合された保持部の第２の部分としての雲台１５５、すなわち調整レバー１３０、可動部材１４０、及び固定部材１５０により、投射型映像表示装置３００が、所定位置に所定姿勢で吊り下げ状態で保持される。投射型映像表示装置３００は、上記第１の実施例の場合と同様、該保持部の第２の部分としての雲台１５５中の可動部材１４０の平面部に、ねじにより取付けられる。また、該保持部の第１の部分５１の側面部に設けた角型引掛けシーリングコネクタ１２０には、照明器具２００の電源コードが、引掛けプラグ２１０により接続される。また、天井側の埋め込みローゼット１０に接続された入力プラグ１１０からは、上記第１の実施例の場合と同様に、天井側からの商用電力が取り出され、導線１１２による第１の供給経路を経てコンセント１１５に供給されるとともに、導線１１１による第２の供給経路を経て角型引掛けシーリングコネクタ１２０に供給される。コンセント１１５には、投射型映像表示装置３００の電源コード用プラグ３１０が接続され、商用電力が投射型映像表示装置３００に供給され、該投射型映像表示装置３００が動作可能状態にされる。一方、角型引掛けシーリングコネクタ１２０には引掛けプラグ２１０が接続され、照明器具２００側に商用電力を取込んで供給する。
【００１５】
上記第２の実施例構成によれば、上記第１の実施例の場合と同様、投射型映像表示装置３００を、簡単な構成、かつ照明器具２００とぶつかり合う等の干渉がない状態で、天井側に対し吊り下げ状態で支持することが可能となる。特に、本第２の実施例構成では、固定具２２０と投射型映像表示装置用支持装置１００’との間の距離や相互間位置を適宜設定することができるため、照明器具２００の位置とは独立的に投射型映像表示装置３００の設定位置等を決めることができる。また、投射型映像表示装置用支持装置１００’の寸法を小型化できる。また、投射型映像表示装置３００は、支持された状態で、水平方向、垂直方向の他、斜め方向にも姿勢調整が容易に可能である。該投射型映像表示装置３００の該姿勢は、照明器具２００の接続位置または姿勢を変えることなく、照明器具２００とは独立して調整可能である。また、天井側から供給される電力を、電力取り出し部から分岐した第１、第２の供給経路により、投射型映像表示装置３００側と照明器具２００側とに並列的に分配する構成のため、投射型映像表示装置３００と照明器具２００とに互いに並行して電力を供給することができる。このため、投射型映像表示装置３００と照明器具２００とを、互いに選択的に電源をオン、オフでき、使い勝手も良い。また、天井側に対し、投射型映像表示装置３００と照明器具２００とが互いに並列的に別個に支持されるため、投射型映像表示装置３００を、照明器具２００には独立して着脱することができる。例えば、照明器具２００を天井側に吊り下げ状態にして残したまま、投射型映像表示装置３００を、移動やチェック等のために支持装置から取外すことができる。
【００１６】
図９は、本発明の第３の実施例の説明図である。
本実施例は、投射型映像表示装置を保持する保持部として、自身を天井側に結合し投射型映像表示装置を保持・姿勢調整する部分の他に、略天井面に沿う方向に延びたアーム状の部分を備えた構成とし、該アーム状の部分で照明器具の保持と電力供給とを行えるようにした場合の構成例である。
図９において、５２は、投射型映像表示装置３００を保持する保持部のうち投射型映像表示装置用支持装置１００’’自身を天井側に結合する第１の部分、１８０は該第１の部分５２に結合され略天井面に沿う方向に延びた第３の部分としてのアーム状部材である。その他、上記第１、第２の実施例構成と同様の部分には、第１、第２の実施例の場合と同じ符号を付す。上記保持部の第３の部分としてのアーム状部材１８０は、上記第１の部分５２の側面部に結合され、内部に、照明器具２００へ商用電力を供給するための入力プラグ１１０からの導線（図示なし）が通されている。また、該アーム状部材１８０には角型引掛けシーリングコネクタ１２０が取付けられ、該コネクタ１２０に上記入力プラグ１１０からの導線の端末が接続されている。入力プラグ１１０は天井側の電力取り出し部としての埋め込みローゼット１０に接続される。上記入力プラグ１１０から上記角型引掛けシーリングコネクタ１２０に至る導線（図示なし）は、商用電力の第２の供給経路を構成し、該角型引掛けシーリングコネクタ１２０は第２の接続部を構成する。該角型引掛けシーリングコネクタ１２０には、照明器具２００側に設けられた引掛けプラグ２１０が接続され、照明器具２００を天井面からの吊り下げ状態で支持する。上記保持部の第１の部分５２の下部には、上記第１、第２の実施例の場合と同様、第１の接続部としてのコンセント１１５が設けられている。該コンセント１１５には、商用電力の第１の供給経路を構成する入力プラグ１１０からの導線（図示なし）が接続されている。上記保持部の第１の部分５２における他部の構成、及び第２の部分としての雲台１５５すなわち調整レバー１３０、可動部材１４０、固定部材１５０の構成も、上記第１、第２の実施例の場合と同様である。かかる構成の投射型映像表示装置用支持装置１００’’において、保持部の第１の部分５２により該支持装置１００’’自身が天井側に取付けられ、該第１の部分５２に結合された保持部の第２の部分としての雲台１５５すなわち調整レバー１３０、可動部材１４０、固定部材１５０により、投射型映像表示装置３００が、所定位置に所定姿勢で吊り下げ状態で保持され、保持部の第３の部分としてのアーム状部材１８０により、照明器具２００が吊り下げ状態で保持される。角型引掛けシーリングコネクタ１２０には照明器具２００の電源コードが引掛けプラグ２１０により接続される。また、天井側の埋め込みローゼット１０に接続された入力プラグ１１０からは、上記第１、第２の実施例の場合と同様に天上側からの商用電力が取り出され、導線による第１の供給経路を経てコンセント１１５に供給されるとともに、別の並列導線による第２の供給経路を経て角型引掛けシーリングコネクタ１２０に供給される。コンセント１１５には、投射型映像表示装置３００の電源コード用プラグ３１０が接続され、商用電力が投射型映像表示装置３００に供給され、該投射型映像表示装置３００が動作可能状態とされる。一方、アーム状部材１８０上の角型引掛けシーリングコネクタ１２０には引掛けプラグ２１０が接続され、照明器具２００側に商用電力が取込まれる。
【００１７】
上記第３の実施例構成によれば、上記第１、第２の実施例の場合と同様、投射型映像表示装置３００を、簡単な構成かつ照明器具２００とぶつかり合う等の干渉がない状態で、天井側に吊り下げ状態で支持することができる。特に、本第３の実施例構成では、アーム状部材１８０の長さを適宜調節することで、投射型映像表示装置３００の、照明器具２００との距離を変えることができる。また、投射型映像表示装置３００は、支持された状態で、水平方向、垂直方向の他、斜め方向にも姿勢の調整が容易に可能である。該投射型映像表示装置３００の該姿勢は、照明器具２００の接続位置または姿勢を変えることなく、照明器具２００とは独立して調整可能である。また、天井側から供給される電力を、電力取り出し部から分岐した第１、第２の供給経路により、投射型映像表示装置３００側と照明器具２００側とに並列的に分配する構成のため、投射型映像表示装置３００と照明器具２００とに互いに独立して並行的に電力を供給することができる。このため、投射型映像表示装置３００と照明器具２００とを、互いに選択的に電源をオン、オフでき、使い勝手も良い。また、投射型映像表示装置３００と照明器具２００とが互いに並列的に別個に支持されるため、投射型映像表示装置３００を、照明器具２００には独立して着脱することができる。例えば、照明器具２００を天井側に吊り下げ状態にしたまま、投射型映像表示装置３００を、移動やチェック等のために支持装置から取外すことができる。
【００１８】
なお、上記各実施例の説明では、商用電力を２経路で供給する構成としたが、本発明はこれに限定されず、３個以上の経路で電力供給してもよいし、商用電力以外の電力を供給するようにしてもよい。また、接続部も２個としたが、本発明はこれにも限定されず、３個以上であってもよい。また、電力取り出し部としての埋め込みローゼット部分はむき出し構成の例で説明したが、本発明はこれにも限定されることなく、キャップなどを設ける構成としてもよいし、場合によっては、電力取り出し部として該埋め込みローゼットを用いない構成であってもよい。また、各接続部の構成は、コンセントや角型シーリングコネクタに限定されない。
【００１９】
【発明の効果】
本発明によれば、液晶プロジェクタ等の投射型映像表示装置を、照明器具とぶつかり合う等の干渉がない共存状態で、天井側に支持することができる。投射型映像表示装置と照明器具とのそれぞれに対し、電源電力を、独立的にかつ並行して供給可能である。支持状態での投射型映像表示装置の姿勢調整も、容易かつ照明器具の支持状態に独立して調整可能である。さらに、投射型映像表示装置を、照明器具とは独立して着脱することができる。
【図面の簡単な説明】
【図１】本発明の第１の実施例の投射型映像表示装置用支持装置の構成例を示す図である。
【図２】図１の投射型映像表示装置用支持装置の使用時の状態説明図である。
【図３】図１の構成の拡大図である。
【図４】図３の構成の一部拡大図である。
【図５】図１の構成の電気系における接続部の説明図である。
【図６】図１の投射型映像表示装置用支持装置の単体状態における説明図である。
【図７】本発明の第２の実施例の投射型映像表示装置用支持装置の使用状態図である。
【図８】図７の構成の拡大図である。
【図９】本発明の第３の実施例を示す図である。
【符号の説明】
１０…埋め込みローゼット、　１１、１２…取付け用ねじ、　５０、５１、５２…保持部の第１の部分、　１００、１００’、１００’’…投射型映像表示装置用支持装置、　１１０…入力プラグ、　１１１、１１２…導線、　１１５…コンセント、　１２０…角型引掛けシーリングコネクタ、　１３０…調整レバー、　１４０…可動部材、　１５０…固定部材、　１５５…雲台、　１６０…穴、　１７０…配線案内用パイプ部材、　１８０…アーム状部材、　２００…照明器具、２１０…引掛けプラグ、　２２０…固定具、　３００…投射型映像表示装置、３１０…投射型映像表示装置の電源コード用プラグ、　３２０…投射型映像表示装置の投射レンズ、　４００…天井面、　４１０…壁面、　５００…投射画面。
【図１】
2004037918.tif 000003
【図２】
2004037918.tif 000004
【図３】
2004037918.tif 000005
【図４】
2004037918.tif 000006
【図５】
2004037918.tif 000007
【図６】
2004037918.tif 000008
【図７】
2004037918.tif 000009
【図８】
2004037918.tif 000010
【図９】
2004037918.tif 000011